(57)【要約】      （修正有）【課題】走行盤に断面が凹形の色々の走行路を作り、自動車又は新幹線を置いて、踏みはづさない様、又、走行盤から落ちない様にすることにより、運動神経と、注意力を養う。【解決手段】走行盤１の裏に、取っ手５を設けて、手で持つ。表に、直線、蛇行曲線、宙返り６、２重宙返り７、波打ち路９等の走行路２を設けて、お互い出入り可能とする。平坦な高台８は、ピョンとジャンプして乗っかって駐車させる。走行盤１上で玩具を走らせることにより、運動神経と、注意力を養う。【選択図】図１
2004358141.tif 000002
【特許請求の範囲】
【請求項１】
サイズが、Ａ４ぐらいの、走行盤（１）の表面に、断面が、凹形の走行路（２）とし玩具の自動車（３）又は、新幹線（４）を置き、お互い出入りできる、直線、蛇行曲線、宙返り（６）  ２重宙返り（７）波打ち路（９）陥没穴（２１）の全部又は、幾つかを走行路（２）とし、平坦な高台（８）を任意数を設けて、取っ手（５）を取り付けた手持ち手動走行の練習盤。
【請求項２】
ひげを２重宙返り（７）、目玉を平坦な高台（８）、鼻を波打ち路（９）、口を陥没穴（２１）とした請求項１の走行盤（１）を人、動物の顔の形とした手持ち手動走行の練習盤。
【請求項３】
図の様に、帯状（１０）にある走行路（２）を内側にして、宙返り（６）の様に丸めて作る請求項１の手持ち手動走行の練習盤の宙返り（６）の製造方法。
【発明の詳細な説明】
［産業上の利用分野］
手に持った走行盤上の玩具の自動車又は、新幹線を、走行盤を左右前後に、傾けて走行盤から落ちないで、上手に走らせる。運動神経と、注意力を必要とする玩具である。
［従来の技術］
従来は、玩具の新幹線や自動車の遊びは、机の広さより大きく、風景や町並を色々と組合はせて箱庭のようなものであった。
［発明が解決しようとする課題］
手で持つので、走行盤の大きさは、Ａ４サイズで、その上で自動車、新幹線を走らせる走行路の面白味を、持たせる事を課題とした。
［課題を解決するための手段］
手で持って遊ぶので、Ａ４サイズの大きさの走行盤（１）として、お互いに連絡可能の直線、蛇行曲線、宙返り（６）  ２重宙返り（７）波打ち路（９）の走行路（２）を凹形として作り、自動車（３）又は新幹線（４）を置く。途中に平坦な高台（８）陥没穴（２１）を設ける。走行盤（１）の裏に取っ手（５）を取り付けた練習盤。
［作用］
手に持った走行盤（１）の走行路（２）の自動車（３）又は新幹線（４）は、左右前後に傾けると自重で走る。宙返り（６）は、反動つけて上に向けてスイングすると宙返りして走る。平坦な高台（８）ピョンとジャンプして乗っかって駐車する。波打ち路（９）陥没穴（２１）は、注意してゆっくり走ると、走り抜けられる。
［実施例］
請求項１を図面で説明します。Ａ４サイズの広さの走行盤（１）の裏面に、取っ手（５）を取付けて持つ。取っ手（５）は、丸棒で裏面に垂直に取り付ける。表面に、走行路（２）を凹形にして、自動車（３）又は、新幹線（４）を置く。走行路（２）は、直線や、蛇行曲線、面白味と技を競う宙返り（６）２重宙返り（７）平坦な高台（８）波打ち路（９）等を、全部又は幾つかを採用する。走行路（２）はお互いに出入り可能とする。橋、トンネル、信号を状景として置く。宙返り（６）２重宙返り（７）の走行路（２）は内側にして丸めてある。平坦な高台（８）は任意個所に、高台を作る。波打ち路（９）は表面を波の様にして作る。陥没穴（２１）は、走行路（２）の途中に穴を設ける。自動車（３）新幹線（４）の車軸（１５）は本体（１６）に固定して取り付ける。車（１４）は車軸（１５）に自在に取り付ける本体（１６）からの抜け止め板（１７）で車（１４）の脱輪防止にする。
走行盤（１）を左右前後に傾けて、自動車（３）又は新幹線（４）は、自重で走る。走行路（２）は、直線だけでなくまがりもあるので、車（１４）の左右の回転数が違ってくる。車（１４）と車軸（１５）は自在になっているので無理無く左右に向きを変更できる。
宙返り（６）の時は、反動をつけて走行盤（１）を斜め上に向けてスイングすると自動車（３）新幹線（４）は走る。２重宙返り（７）は、宙返り（６）の連続なので、技術と、こつを必要とし、面白みが増す。
走行盤（１）の任意個所に、平坦な高台（８）を作って、自動車（３）等をピョンとジャンプして高台に乗っかって駐車する。
波打ち路（９）は、路は波を打ってでこぼこなので、早く走ると、自動車（３）等は、バウンドして走りにくい。ゆっくり、注意しながら走る。
陥没穴（２１）は、走行路（２）の途中に任意の穴を設けて、自動車（３）等は、ジャンプして走り抜ける。
請求項２を説明します。人、動物の顔形を走行盤（１）とします。顔のほぼ中央下部から、左右それぞれひげを伸ばして、くるりと丸めて２重宙返り（７）とします。目は走行盤（１）と同じ高さであるが、目玉は一段高くして、平坦な高台（８）とします。鼻は、なだらかに盛り上がって、円形の形とし、波打ち路（９）とします。口は開いて陥没穴（２１）とします。
自動車（３）又は、新幹線（４）を、顔形の走行盤（１）の上に置いて、手に持って左右、前後に、傾けて車を動かす。目玉にはピョンと飛び乗り駐車する。口はジャンプして飛び越えるので食べられないで、事無きをえる。鼻の所は、ゆっくり走り、左右に走り抜ける
請求項３を説明します。宙返り（６）を図の様に型で作ると、型は複雑である。走行路（２）を帯状（１０）として作る。帯状（１０）の走行路（２）を内側にして丸めて帯状（１０）の差込み（１１）を、走行盤（１）の差込み口（１２）に差し込む。丸めたことにより、帯状（１０）の材質の弾力により、広がろうとする力により、ストッパ（１３）で、走行盤（１）の裏面にストップして、きちんと、はまって宙返り（６）を作る。
［発明の効果］
手、足、目、を使って体全体を効果的に、働かして走行盤を動かし走行路を走ると踏み外すこと無く思い通り走れる。高台にビョンとジャンプして、ひっくりかえらないで駐車や、宙返りする時は、おもいっきりスイングすると、うまく宙返りできる。運動神経と集中力を養う健康玩具とします。
【図面の簡単な説明】
【図１】請求項１の全体平面図
【図２】請求項１の全体側面図
【図３】請求項２の全体平面図
【図４】凹形の走行路及び自動車（３）新幹線（４）の本体（１６）の断面図
【図５】帯状（１０）の平面図
【図６】帯状（１０）の側面図
【図７】差込み（１１）の断面図
【図８】波打ち路（９）の側面図
【図９】差込み口（１２）の平面図
【図１０】差込み口（１２）の断面図
【図１１】差込みした状態の断面図
【符号の説明】
１、走行盤        ２、走行路          ３、自動車
４、新幹線        ５、取っ手          ６、宙返り
７、２重宙返り    ８、平坦な高台      ９、波打ち路
１０、帯状        １１、差込み        １２、差込み口
１３、ストッパ    １４、車            １５、車軸
１６、本体        １７、抜け止め板    １８、橋
１９、トンネル    ２０、信号          ２１、陥没穴
【図１】
2004358141.tif 000003
【図２】
2004358141.tif 000004
【図３】
2004358141.tif 000005
【図４】
2004358141.tif 000006
【図５】
2004358141.tif 000007
【図６】
2004358141.tif 000008
【図７】
2004358141.tif 000009
【図８】
2004358141.tif 000010
【図９】
2004358141.tif 000011
【図１０】
2004358141.tif 000012
【図１１】
2004358141.tif 000013